(57)【特許請求の範囲】
【請求項１】
付けまつ毛をまぶたに装着するための改良された接着デバイスであって、
コアとこのコアの周囲に設けられた接着性コーティングとから形成される取付部材と、
カードとされるとともに、吊す際に使用するための貫通穴が形成されている上部領域と下部領域とが設けられている面を有した第１基板と、
この第１基板の前記上部領域に配置されるとともに、吊すことの邪魔にならないよう前記貫通穴よりも下方に配置された第２基板と、
個別的に互いに離間された複数の着脱式シートカバーと、
を具備してなるタイプのデバイスであり、
前記接着性コーティングが、前記付けまつ毛に対して前記コアを取り付けることにより、前記付けまつ毛をまぶたに装着することを可能とするためのものであり、
前記第２基板には、長さ方向に沿って互いに離間した状態で各取付部材上の前記接着性コーティングによって着脱可能に複数の前記取付部材が保持され、
前記コアは、長尺で細いものであり、
前記接着性コーティングは、圧力感受性のものであり、
前記着脱式シートカバーの各々は、使用前にそれぞれ関連する前記取付部材をカバーして保護するためのものであってそれぞれ関連する前記取付部材の前記接着性コーティングによってそれぞれの取付部材上に着脱可能に保持され、
前記コアが、複数の合成ファイバを並置することにより形成され、この場合、ファイバが、捻られておらず編み込まれておらず相互織込されておらず相互捻りされておらず２重化されておらずまた互いに交錯していないものとされ、これにより、複数の合成ファイバを、まぶた上において確実に互いに並置させ、
さらに、太くかつ円滑ではなくさらに接着性コーティングを吸収してしまいこのためソフトさや柔軟性をなくしてしまう撚り糸や単一フィラメントとは対照的に、前記各合成ファイバが、細くかつ表面円滑でありかつ接着性コーティングを吸収することがないものとされ、これにより、前記各合成ファイバをソフトで柔軟なままとすることを特徴とするデバイス。
【請求項２】
請求項１記載のデバイスにおいて、
前記各合成ファイバが、約４５デニール〜約７０デニールという範囲の厚さを有したものであることを特徴とするデバイス。
【請求項３】
請求項１記載のデバイスにおいて、
前記複数の合成ファイバが、奇数本の合成ファイバであることを特徴とするデバイス。
【請求項４】
請求項１記載のデバイスにおいて、
前記複数の合成ファイバが、３本の合成ファイバであることを特徴とするデバイス。
【請求項５】
請求項４記載のデバイスにおいて、
前記３本の合成ファイバが、同一平面上にないものとされていることを特徴とするデバイス。
【請求項６】
請求項４記載のデバイスにおいて、
前記３本の合成ファイバの各々が、それぞれ他の２本の合成ファイバに対して当接していることを特徴とするデバイス。
【請求項７】
請求項４記載のデバイスにおいて、
前記３本の合成ファイバが、同一平面上に位置していることを特徴とするデバイス。
【請求項８】
請求項１記載のデバイスにおいて、
前記複数の合成ファイバが、５本の合成ファイバであることを特徴とするデバイス。
【請求項９】
請求項８記載のデバイスにおいて、
前記５本の合成ファイバが、同一平面上にないものとされていることを特徴とするデバイス。
【請求項１０】
請求項８記載のデバイスにおいて、
前記５本の合成ファイバが、他の４本の合成ファイバによって囲まれた１本の中央合成ファイバを有していることを特徴とするデバイス。
【請求項１１】
請求項８記載のデバイスにおいて、
前記５本の合成ファイバが、一対の平行平面内に位置していることを特徴とするデバイス。
【請求項１２】
請求項１記載のデバイスにおいて、
前記複数の合成ファイバが、７本の合成ファイバであることを特徴とするデバイス。
【請求項１３】
請求項１２記載のデバイスにおいて、
前記７本の合成ファイバが、同一平面上にないものとされていることを特徴とするデバイス。
【請求項１４】
請求項１２記載のデバイスにおいて、
前記７本の合成ファイバが、他の６本の合成ファイバによって囲まれた１本の中央合成ファイバを有していることを特徴とするデバイス。
【発明の詳細な説明】
【０００１】
【発明の属する技術分野】
本発明は、付けまつ毛をまぶたに装着するための接着デバイスに適用するためのコアに関するものである。より詳細には、本発明は、付けまつ毛をまぶたに装着するための接着デバイスに適用するための、改良されたコアに関するものである。
【０００２】
【従来の技術および発明が解決しようとする課題】
付けまつ毛に対する様々な技術革新が、従来より行われてきた。これら技術革新は、達成すべき個々の特定の目的に対しては適切なものではあるけれども、それら目的は、本発明の目的とは相違している。さらに、それら技術革新は、達成すべき個々の特定の目的に対しては適切なものではあるけれども、それらは、以下のような本発明の目的のためには適切なものではない。
【０００３】
［第１従来例］
Goodman 氏による米国特許明細書第２，８３５，２５９号には、一体型人工まつ毛ユニットであって、薄いシート材料にスリットとスロットとを形成し、一方の面に接着性縁取りを取り付け、着色された薄くかつ細い矩形断面形状のストリップからなるまつ毛を、他方の面から外方に突出させることによって形成される一体型人工まつ毛ユニットが開示されており、この場合、ストリップと縁取りとは、一体的に連結され、かつ、ストリップと縁取りとを分離させることなく同じ薄いシート材料から形成される。
【０００４】
［第２従来例］
Weld氏による米国特許明細書第３，２６６，５００号には、人の上まぶたに対して取付を行うためのデバイスが開示されている。湾曲した長尺の、フレキシブルかつ適合性の材料からなるベースシートが設けられ、このベースシートの一端が、下向きに延在しており、このベースシートの他端が、逆向きに延在している。ベースシートが、上まぶたに沿って延在して上まぶたを実質的にカバーするためのアウトラインをもたらす。ベースシートの裏面には、圧力感受性の接着性コーティングが施されており、ベースシートを、上まぶたに対して着脱可能に接着できるようになっている。ベースシートは、前面上に所望の可視カラー層を有しており、このカラーは、上まぶたの色とは、明確に相違するものとされている。
【０００５】
［第３従来例］
Glaser氏による米国特許明細書第３，３６２，４１７号には、羽毛部とシャフトとを有してなる目用装飾品をまぶたに取り付けるための物品が開示されている。この場合、羽毛部は、まぶたに取り付けるに十分な長さを有しており、また、まぶたのまつ毛上に実質的に重ねて取り付けるに十分な長さを有しており、羽毛部には、実質的に、天然の一体化されたかえり部（あるいは、鈎部）が設けられており、かえり部は、細長いフレキシブルなラバー状材料から形成された共通支持ベースに対して、長さ全体にわたってアンカー止めされる。かえり部は、まぶたの天然まつ毛の長さよりも実質的に長いものとされていて、まぶたの天然まつ毛を実質的に被覆し得るような構成とされている。共通ベースは、まぶたのすべての部分にわたって目の外形に適合することができ、まぶたに対して物品を取り付けるための接着性材料を保持するよう機能し、物品をまぶたに取り付け得るよう十分な長さを有している。
【０００６】
［第４従来例］
McCullough氏による米国特許明細書第３，４４７，５４２号には、アイライナーと付けまつ毛との組合せ体であって、内面と外面とを有して厚さが２５．４ｍｍ（１インチ）の５，０００分の１〜４０，０００分の１とされた長尺のフレキシブルなレザー製アイライナーと、アイライナーの内面に対して恒久的にかつフレキシブルに連結されるとともにアイライナーの長さ方向に対して実質的に垂直な複数の毛を有してなる付けまつ毛と、を具備してなる組合せ体が開示されている。
【０００７】
［第５従来例］
Esler 氏他による米国特許明細書第３，６２２，４３８号には、室内装飾材料等のための箱の製造に使用する熱可塑性接着剤によってコーティングされた繊維またはフィラメントが開示されている。繊維またはフィラメントは、熱可塑材料製の一様なコーティングを有している。コーティングは、通常の条件下において熱可塑材料を織物から流出させないよう十分に大きな粘性を有している。また、粘度は、コーティング温度においてフィラメントまたは繊維を一様にコーティングし得るよう十分に小さなものであり、熱可塑材料製接着剤を箱詰め織物に適用する際の適用温度において十分な溶融性を引き起こし得るようなものである。好ましい実施形態においては、レーヨンフィラメントが、ポリマー層すなわちエチレン層によってコーティングされる。エチレンは、好ましくは、エチレンと１−ブテンとのコポリマーとされ、このコポリマーは、１０，０００より大きな分子量を有しており、有機酸エステルに溶解され、これにより、３００℃において１００，０００〜２００，０００c.p.s.という粘度を有しかつ３５０℃において８，５００c.p.s.未満の粘度を有した化合物が形成される。好ましい有機酸エステルは、パルミチン酸エチルである。
【０００８】
［第６従来例］
Spiegel 氏他による米国特許明細書第３，８８５，６７１号には、熱収縮チューブ内に配置された物品を備えたカードパッケージが開示されている。チューブは、カード上の接着剤によってカードに対して連結されている。カードに対しての接着剤の固定は、カード表面に複数の穴を開けこれら穴開き部分においてカードに接着剤を適用することによって増強されている。
【０００９】
［第７従来例］
Han 氏他による米国特許明細書第６，０２９，６７４号には、表面上に予め接着剤を有している付けまつ毛をまぶたに対して取り付けるに際して、予め設けられた接着剤が接着力を失った場合に付けまつ毛を取り付けるためのデバイスが開示されている。このデバイスは、コアとコアを囲んでいる接着性コーティングとから形成された取付部材を備えている。接着性コーティングは、付けまつ毛に沿ってコアを取り付けるものであり、これにより、付けまつ毛をまぶたに対して装着することを可能とするものである。このデバイスは、さらに、第１基板と、この第１基板上に配置されるとともに、長さ方向に沿って離間した状態で接着性コーティングによって着脱可能に複数の取付部材を保持する第２基板と、使用前にそれぞれ関連する取付部材をカバーして保護するためのものであってそれぞれ関連する取付部材の接着性コーティングによってそれぞれの取付部材上に着脱可能に保持される複数の着脱式シートカバーと、第１基板上に配置される少なくとも一対の付けまつ毛と、を備えている。
【００１０】
Han 氏他による米国特許明細書第６，０２９，６７４号は、図１〜図８に明瞭に示されている。本発明は、Han 氏他による米国特許明細書第６，０２９，６７４号の改良であるので、図１〜図８を参照して説明する。
【００１１】
図１には、表面上に予め設けられた接着剤が接着力を失った場合に付けまつ毛を取り付けるためのデバイスが、全体的に符号（１０）によって示されている。このデバイス（１０）は、予め接着性が付与された付けまつ毛（１２）をまぶた（１４）に対して取り付けるに際して、予め設けられた接着剤が接着力を失った場合に付けまつ毛を取り付けるためのデバイスである。
【００１２】
表面上に予め設けられた接着剤が接着力を失った場合に付けまつ毛を取り付けるためのデバイス（１０）の構成は、図２〜図８に示されており、次に、これらを参照して説明する。
【００１３】
表面上に予め設けられた接着剤が接着力を失った場合に付けまつ毛を取り付けるためのデバイス（１０）は、コア（１６）とこのコア（１６）を囲んでいる接着性コーティング（１８）とから形成された取付部材（１９）を備えている。
【００１４】
接着性コーティング（１８）は、付けまつ毛（１２）に沿ってコア（１６）を取り付けるものであり、これにより、付けまつ毛（１２）をまぶた（１４）に対して装着することを可能とするものである。
【００１５】
コア（１６）は、長尺の細いものであり、好ましくは撚り糸または単一フィラメントである。
【００１６】
接着性コーティング（１８）は、圧力感受性を有したものである。
【００１７】
表面上に予め設けられた接着剤が接着力を失った場合に付けまつ毛を取り付けるためのデバイス（１０）は、さらに、カードとされるとともに上部領域（２６）と下部領域（２８）とが設けられている面（２４）を有した第１基板（２２）を備えている。
【００１８】
第１基板（２２）の上部領域（２６）は、展示用に吊すための貫通穴（２９）を有している。
【００１９】
表面上に予め設けられた接着剤が接着力を失った場合に付けまつ毛を取り付けるためのデバイス（１０）は、さらに、カードとされるとともに、第１基板（２２）の上部領域上に配置された第２基板（３０）を備えている。第２基板（３０）は、吊すことの邪魔にならないように、貫通穴（２９）よりも下方に配置されている。
【００２０】
第２基板（３０）には、長さ方向に沿って離間した状態で接着性コーティング（１８）によって着脱可能に複数の取付部材（１９）が保持されている。
【００２１】
表面上に予め設けられた接着剤が接着力を失った場合に付けまつ毛を取り付けるためのデバイス（１０）は、さらに、個別的に互いに離間された複数の着脱式シートカバー（３２）を備えている。
【００２２】
各着脱式シートカバー（３２）は、使用前にそれぞれ関連する取付部材（１９）をカバーして保護するためのものであって、それぞれ関連する取付部材（１９）の接着性コーティング（１８）によってそれぞれの取付部材上に着脱可能に保持される。
【００２３】
表面上に予め設けられた接着剤が接着力を失った場合に付けまつ毛を取り付けるためのデバイス（１０）は、さらに、第１基板（２２）の下部領域（２８）上に配置される少なくとも一対の付けまつ毛（１２）を備えている。
【００２４】
従来技術において付けまつ毛を使用可能とするような多数の技術革新が行われてきたことは、明らかである。これら技術革新は、達成すべき個々の特定の目的に対しては適切なものではあるけれども、それらは、以下のような本発明の目的のためには適切なものではない。
【００２５】
本発明の目的は、従来技術における欠点を回避し得るような、付けまつ毛をまぶたに装着するための接着デバイスに適用するための改良されたコアを提供することである。
【００２６】
本発明の他の目的は、単純であって安価に製造できるような、付けまつ毛をまぶたに装着するための接着デバイスに適用するための改良されたコアを提供することである。
【００２７】
本発明のさらに他の目的は、簡単に使用できるような、付けまつ毛をまぶたに装着するための接着デバイスに適用するための改良されたコアを提供することである。
【００２８】
【課題を解決するための手段】
要約すれば、本発明のさらに他の目的は、付けまつ毛をまぶたに装着するための接着デバイスに適用される改良されたコアを提供することである。接着デバイスは、コアとこのコアの周囲に設けられた接着性コーティングとから形成される取付部材と、カードとされるとともに、吊す際に使用するための貫通穴が形成されている上部領域と下部領域とが設けられている面を有した第１基板と、この第１基板の上部領域に配置されるとともに、吊すことの邪魔にならないよう貫通穴よりも下方に配置された第２基板と、個別的に互いに離間された複数の着脱式シートカバーと、を具備してなるタイプのデバイスである。改良点は、コアを、複数の合成ファイバを並置することにより形成し、この場合、ファイバを、捻られておらず編み込まれておらず相互織込されておらず相互捻りされておらず２重化されておらずまた互いに交錯していないものとし、これにより、複数の合成ファイバを、まぶた上において確実に整列させて、快適なものとすることである。さらなる改良点は、太くかつ円滑ではなくさらに接着性コーティングを吸収してしまいこのためソフトさや柔軟性をなくしてしまう撚り糸や単一フィラメントとは対照的に、各合成ファイバを、細くかつ表面円滑でありかつ接着性コーティングを吸収することがないものとし、これにより、各合成ファイバをソフトで柔軟なままとすることである。
【００２９】
本発明による特徴点と考えられる新規な特徴点は、請求範囲に記載されている。本発明の構成や動作方法、ならびに、本発明の他の目的や利点は、添付図面を参照しつついくつかの特定の実施形態に関しての以下の説明を読むことにより、明瞭に理解されるであろう。
【００３０】
【発明の実施の形態】
添付図面には、特に図９および図１０には、本発明による付けまつ毛をまぶたに装着するための接着デバイスに適用するための改良されたコアが、全体的に符号（４０）によって示されている。
【００３１】
改良点は、複数の合成ファイバ（４２）を並置したこと（図９参照）である。これは、ファイバどうしが、捻られていたり編み込まれていたり相互織込されていたり相互捻りされていたり２重化されていたりあるいは互いに交錯しているような状況（図１０参照）とは、明確に相違する。このため、複数の合成ファイバ（４２）が、まぶた上において、確実に整列する（整然と並ぶ）こととなり、快適である。
【００３２】
各合成ファイバ（４２）は、細くかつ表面円滑であり、接着性コーティング（１８）（従来技術）を吸収することがない。このため、ソフトで柔軟なままである。このことは、太くかつ円滑ではなくさらに接着性コーティング（１８）（従来技術）を吸収してしまいこのためソフトさや柔軟性をなくしてしまう撚り糸（従来技術）や単一フィラメント（従来技術）とは、対照的である。
【００３３】
『捻られておらず編み込まれておらず相互織込されておらず相互捻りされておらず２重化されておらずまた互いに交錯していない』および『接着性コーティング（１８）を吸収することがない』ということが、否定的限定と捉えられるかもしれないけれども、これら限定は、限定を記述する上で唯一の方法であり断然明確な限定である。したがって、これら限定は、特許性を規定するものとして認定されるべきである。この主張の支持は、“Practice Re: Technical Rejections,”April 30, 1965 (814 O.G. 715) という注意書きに見出すことができる。これには、次の一文がある。
『否定的表現の包含は、それ自体では、請求項の記載不備の十分な根拠とならずまた請求項の拒絶理由の根拠ともならない。』（特に、『それ自体では』という表現に注目されたい）
【００３４】
さらに、In re Duva, 156 USPQ 90, 94 (CCPA 1967) において、裁判所は、次のことを主張している。
『  …  肯定的表現を使用することができたとしても、否定的表現でもって請求範囲を主張することは、「新規性」の場合であってさえも、適正である。  …  』（特に、『「新規性」』という表現に注目されたい）
【００３５】
複数の合成ファイバ（４２）が、捻られておらず編み込まれておらず相互織込されておらず相互捻りされておらず２重化されておらずまた互いに交錯していないこと、および、複数の合成ファイバ（４２）が、接着性コーティング（１８）を吸収することがないことは、極めて重要なことであり明らかに新規なことである。というのは、複数の合成ファイバ（４２）が、互いに、捻られていたり編み込まれていたり相互織込されていたり相互捻りされていたり２重化されていたりあるいは互いに交錯しているような状況では、複数の合成ファイバ（４２）をまぶた上において整然と並べることができないからであり、さらに重要なことには、まぶたに対して不快であるということである。接着性コーティング（１８）の吸収は、コアをソフトにしたり柔軟にしたりすることを妨害する。
【００３６】
『捻られていたり編み込まれていたり相互織込されていたり相互捻りされていたり２重化されていたりあるいは互いに交錯している』および『撚り糸または単一フィラメント』という表現が代替表現であるけれども、このような表現の使用は、それぞれ均等物を含有していることにより、次のことを規定した MPEP 706.03-d(July 23, 1968) により、許可されている。
『「ブレーキまたはロックデバイス」といったような代替表現は、限定事項が２つの相異なる部材を規定している場合には、請求項を不明瞭なものとする。（ただし、）「ロッドまたはバー」といったような２つの均等物が参照されている場合には、代替表現は、適正なものと考えられる。』（特に、『「ロッドまたはバー」といったような２つの均等物が参照されている場合には、代替表現は、適正なものと考えられる。』という表現に注目されたい）
【００３７】
そして、In re Wolfrum and Gold, 179 USPQ 620 (CCPA 1973)  において、裁判所は、次のことを保持している。
『第１１２セクションは、（代替としての）そのような拒絶理由を支持しない。その理由は、出願人が請求しようとしている範囲が明確であるからであり、また、第１１２セクションが要求しているすべてのことが明確であるからである。』（特に、『出願人が請求しようとしている範囲が明確であるからであり、また、第１１２セクションが要求しているすべてのことが明確であるからである。』という表現に注目されたい）
【００３８】
さらに、In re Hans, 179 USPQ 623 (CCPA 1973)や、In re Pavlecka, 138USPQ 118 (CCPA 1963)、を参照されたい。
【００３９】
典型的な合成ファイバ（４２）は、韓国ソウル所在の JP CORPORATION,C.P.O.6482, Tel. 82-2-938-7782, Fax. 82-2-938-4540によって“MODLON-21(R)”型番DKP-550 という商標名で市販されており、さらには、日本国東京所在の TOYO   CHEMICAL CO., LTD.によって“TOYOKALON” という名称で市販されている。
【００４０】
さらなる改良点は、各合成ファイバ（４２）が、約４５デニール〜約７０デニールという範囲の厚さを有していることである。
【００４１】
図に示すように、さらなる他の改良点は、複数の合成ファイバ（４２）の数を、奇数としたことである。
【００４２】
改良されたコアの第１実施形態（１２０）が、図１１に示されている。次に、図１１を参照して説明する。
【００４３】
改良点は、複数の合成ファイバ（４２）を、同一平面上に存在しておらずかつそれぞれが他の２本の合成ファイバに対して当接している３本の合成ファイバ（１２２）としたことである。
【００４４】
改良されたコアの第２実施形態（２２０）が、図１２に示されている。次に、図１２を参照して説明する。
【００４５】
改良点は、複数の合成ファイバ（４２）を、同一平面（２２４）内に位置した３本の合成ファイバ（２２２）としたことである。
【００４６】
改良されたコアの第３実施形態（３２０）が、図１３に示されている。次に、図１３を参照して説明する。
【００４７】
改良点は、複数の合成ファイバ（４２）を、同一平面内に位置しておらずかつ他の４本の合成ファイバ（３２６）によって囲まれた１本の中央合成ファイバ（３２４）を有した、５本の合成ファイバ（３２２）としたことである。
【００４８】
改良されたコアの第４実施形態（４２０）が、図１４に示されている。次に、図１４を参照して説明する。
【００４９】
改良点は、複数の合成ファイバ（４２）を、一対の平行平面（４２４）内に位置した、５本の合成ファイバ（４２２）としたことである。
【００５０】
改良されたコアの第５実施形態（５２０）が、図１５に示されている。次に、図１５を参照して説明する。
【００５１】
改良点は、複数の合成ファイバ（４２）を、同一平面内に位置しておらずかつ他の６本の合成ファイバ（５２６）によって囲まれた１本の中央合成ファイバ（５２４）を有した、７本の合成ファイバ（５２２）としたことである。
【００５２】
上記のような各構成により、あるいは、これらのうちの２つや３つを組み合わせることにより、上記タイプとは異なるタイプに対しても有効に応用することができることは、理解されるであろう。
【００５３】
付けまつ毛をまぶたに装着するための接着デバイスに適用するための改良されたコアのいくつかの実施形態について例示し説明してきたけれども、本発明は、これら実施形態の細部にまで限定されるものではなく、当業者であれば、本発明の精神を逸脱することなく、いくつかの部材を省略したり修正したり置換したりすることができるであろう。
【００５４】
さらなる説明を必要とすることなく、上記説明は、本発明の精神を開示するには十分なものであろう。様々な応用に際しての他の実施形態は、本発明による一般的特徴点および付加的特徴点を省略することなく、当該技術分野における技術常識を付加することにより、容易に得ることができる。
【図面の簡単な説明】
【図１】  使用例を示す概略的な斜視図である。
【図２】  図１において矢印２で示す二点鎖線で囲った領域を拡大して概略的に示す斜視図である。
【図３】  図２における３−３線矢視断面を拡大して概略的に示す断面図である。
【図４】  図２において矢印４で示す二点鎖線で囲った領域を拡大して概略的に示す斜視図である。
【図５】  付けまつ毛キットの例を概略的に示す斜視図である。
【図６】  図５において矢印６で示す二点鎖線で囲った領域を拡大して概略的に示す斜視図である。
【図７】  図６における７−７線矢視断面を概略的に示す断面図である。
【図８】  図７における８−８線矢視断面を拡大して概略的に示す断面図である。
【図９】  図４に示すコアに対して本発明によってなされた改良を概略的に示す側面図である。
【図１０】  本発明によるものではないコアを概略的に示す側面図である。
【図１１】  本発明の第１実施形態を概略的に示す端面図である。
【図１２】  本発明の第２実施形態を概略的に示す端面図である。
【図１３】  本発明の第３実施形態を概略的に示す端面図である。
【図１４】  本発明の第４実施形態を概略的に示す端面図である。
【図１５】  本発明の第５実施形態を概略的に示す端面図である。
【符号の説明】
１０  接着デバイス
１２  付けまつ毛
１４  まぶた
１６  コア
１８  接着性コーティング
１９  取付部材
２２  第１基板
２４  面
２６  上部領域
２８  下部領域
２９  貫通穴
３０  第２基板
３２  着脱式シートカバー
４０  改良されたコア
４２  合成ファイバ
１２０  改良されたコア
１２２  合成ファイバ
２２０  改良されたコア
２２２  合成ファイバ
２２４  平面
３２０  改良されたコア
３３２  合成ファイバ
３２４  中央合成ファイバ
３２６  他の４本の合成ファイバ
４２０  改良されたコア
４２２  合成ファイバ
４２４  平行平面
５２０  改良されたコア
５２２  合成ファイバ
５２４  中央合成ファイバ
５２６  他の６本の合成ファイバ
【図１】
0003678725.tif 000002
【図２】
0003678725.tif 000003
【図３】
0003678725.tif 000004
【図４】
0003678725.tif 000005
【図５】
0003678725.tif 000006
【図６】
0003678725.tif 000007
【図７】
0003678725.tif 000008
【図８】
0003678725.tif 000009
【図９】
0003678725.tif 000010
【図１０】
0003678725.tif 000011
【図１１】
0003678725.tif 000012
【図１２】
0003678725.tif 000013
【図１３】
0003678725.tif 000014
【図１４】
0003678725.tif 000015
【図１５】
0003678725.tif 000016